(57)【要約】【課題】ボルトが緩み被固定物がぐらつくおそれのないリテーナー、リテーナーによる被固定物の固定方法及び噛み合い歯の作成方法を提供すること。【解決手段】リテーナー１は、雌ねじを有するベース２と、ねじ穴５が形成され、このねじ穴５の付近に第１の噛み合い歯を有するプレート３と、ねじ穴５に挿通可能で雌ねじに螺合する雄ねじと、挿通及び螺合に際して第１の噛み合い歯に噛み合う位置に第２の噛み合い歯が、各々形成されたシャフト４と、を備え、挿通及び螺合に際して、プレート３とベース２との間に所定の大きさの空隙が形成される。【選択図】      図１
2019032086.tif 000002
【特許請求の範囲】
【請求項１】
雌ねじを有するベースと、
ねじ穴が形成され、このねじ穴の付近に第１の噛み合い歯を有するプレートと、
前記ねじ穴に挿通可能で前記雌ねじに螺合する雄ねじと、
前記挿通及び螺合に際して前記第１の噛み合い歯に噛み合う位置に第２の噛み合い歯が、各々形成されたシャフトと、を備え、
前記螺合を進めるに従って前記プレートと前記ベースとの間の空隙が狭まることを特徴とするリテーナー。
【請求項２】
前記シャフトは、前記雄ねじと一体になって回転し、前記雄ねじが前記ベースの前記雌ねじにねじ込まれると、前記ねじ穴に引っ掛かり、前記プレートを押し付ける引っ掛け部と、前記雄ねじをねじ込んで締付けた後に、前記プレートの正面板に押し付けるノブとを備えた、ことを特徴とする請求項１記載のリテーナー。
【請求項３】
前記シャフトは、前記雄ねじの軸方向手前側に該雄ねじに直列に接続され、前記ノブを前記雄ねじの軸方向に移動可能に設置したメインシャフトを更に有する、ことを特徴とする請求項２記載のリテーナー。
【請求項４】
前記ベースは、垂直な平面からなる正面と、水平面からなる上面と、前記正面の方向と下方向とを向くように斜めに設けられ前記正面と交差して、前記正面の前記上面と交差する上側の稜と平行な下側の稜を形成する斜面とを有し、前記正面に前記雌ねじが開孔され、
前記プレートは、前記ベースの前記正面に対向する正面板と、前記ベースの前記斜面に接する斜面板と、前記ベースの前記上面との間に前記空隙を形成しこの空隙に被固定物を挟む上面板とを有し、前記正面板に前記ベースの前記雌ねじに対応して前記ねじ穴が開けられ、
前記第２の噛み合い歯は、前記ノブの前記正面板に接する面に、前記雄ねじの軸を中心に放射状に山および谷が交互に配置され、
前記第１の噛み合い歯は、前記ノブの前記第２の噛み合い歯が配置された面と接する前記プレートの前記正面板の面に、前記ノブを前記プレートの前記正面板に押し付けた際に、前記第２の噛み合い歯と互いに噛みあうように山および谷が配置され、
前記引っ掛け部により、前記プレートを押し付けることにより、前記プレートの前記斜面板と前記ベースの下側の稜が接し、前記プレートの前記斜面板が前記ベースの斜面に沿って滑り込み、前記プレートの前記上面板と前記プレートの前記上面との間に設置した前記被固定物を挟み込んで固定するまで前記プレートが下側に沈み込む、ことを特徴とする請求項２または３記載のリテーナー。
【請求項５】
前記メインシャフトの前記引っ掛け部のある方向と反対側の端部に前記ノブを前記プレートの前記正面板の方向に付勢するスプリングを設置し、
前記ノブを前記引っ掛け部のある方向と反対側の方向に引いて前記スプリングに付勢力を与えつつ該ノブを回すことにより、前記メインシャフトと前記雄ねじを同時に回して、前記雄ねじを前記雌ねじにねじ込んで締め付け、締め付けた後に前記ノブの前記引き状態を解除することにより、前記スプリングにより付勢された前記ノブの前記第２の噛み合い歯と前記プレートの前記第１の噛み合い歯とが噛み込む、ことを特徴とする請求項３記載のリテーナー。
【発明の詳細な説明】
【技術分野】
【０００１】
本発明は、リテーナー、リテーナーによる被固定物の固定方法及び噛み合い歯の作成方法に関し、被固定物がぐらつくおそれのないリテーナー、リテーナーによる被固定物の固定方法及び噛み合い歯の作成方法に関する。
【背景技術】
【０００２】
一般に、板状の物体（被固定物）を固定するために、基礎となる固定されたベース等と板状の可動部側とで被固定物を挟み込んで固定する方法が普及している。
【０００３】
板状の物体を固定する技術が特許文献１に開示されている。特許文献１に開示の板材端部固定金具２０（固定金具）は、図１３に示すように、固定板２１と加圧板２２とからなる。図１３は、関連技術における板材端部固定金具の一例を示す図である。
【０００４】
固定板２１は、固定部２３と固定部２３に一体型蝶番連結部２５により連結される山形断面の可動部２４とからなり、可動部２４を挿通するボルト２６はナット２７との協働により固定部２３をＨ型鋼の中央壁２８に固定する。加圧板２２は可動部２４の自由端に枢着される。ボルト２６の締結により可動部２４は蝶番連結部２５を介して弾性に抗して回動し、同時に山形が平坦となり加圧板２２はＨ型鋼の側壁２９に向かって変位する。この加圧板２２の変位により、被固定物である透光板３０は側壁２９に向かって押し付けられ、加圧板２２と側壁２９との間において挟着される。
【先行技術文献】
【特許文献】
【０００５】
【特許文献１】特開２００１−８２４２１号公報
【発明の概要】
【発明が解決しようとする課題】
【０００６】
上述した特許文献１に開示の板材端部固定金具は、ボルト２６の締結により可動部２４を回動させ、可動部２４の山形を平坦にさせて加圧板２２をＨ型鋼の側壁２９に向かって変位させる。そして、透光板３０を側壁２９に向かって押し付けて、加圧板２２と側壁２９との間において挟着している。
【０００７】
このように、ボルト２６の締結により可動部２４を回動させることにより、透光板３０を加圧板２２と側壁２９との間において挟着している。このため、ボルト２６に緩みが発生した場合には、加圧板２２と側壁２９との間において挟着されている被固定物である透光板３０がぐらついてしまうおそれがあるといった問題がある。
【０００８】
本発明の目的は、上記課題を解決して、ボルトが緩み被固定物がぐらつくおそれのないリテーナー、リテーナーによる被固定物の固定方法及び噛み合い歯の作成方法を提供することである。
【課題を解決するための手段】
【０００９】
本発明のリテーナーは、雌ねじを有するベースと、ねじ穴が形成され、このねじ穴の付近に第１の噛み合い歯を有するプレートと、前記ねじ穴に挿通可能で前記雌ねじに螺合する雄ねじと、前記挿通及び螺合に際して前記第１の噛み合い歯に噛み合う位置に第２の噛み合い歯が、各々形成されたシャフトと、を備え、前記挿通及び螺合に際して、前記プレートと前記ベースとの間に所定の大きさの空隙が形成される。
【００１０】
本発明のリテーナーの小判形状の前記第１の噛み合い歯を作成する噛み合い歯の作成方法は、３Ｄ−ＣＡＤ（３dimension-computer aided design）上で、前記シャフトの立体形状を所定数複製し、この複製した複数のシャフトの立体形状を、前記シャフトの軸方向に対して垂直の方向にずらしながら外形を重ね合わせることにより、前記第２の噛み合い歯の外形を重ね合わせた重ね合わせ噛み合い歯を作成し、この重ね合わせ噛み合い歯に噛み合うように、前記プレートに小判形状の前記第１の噛み合い歯を作成する。
【発明の効果】
【００１１】
本発明によれば、ボルトが緩み被固定物がぐらつくおそれのないリテーナー、リテーナーによる被固定物の固定方法及び噛み合い歯の作成方法を提供することができる。
【図面の簡単な説明】
【００１２】
【図１】本発明の第１の実施の形態に係るリテーナーの一例を示す図である。
【図２】本発明の第２の実施の形態及び第３の実施の形態に係るリテーナーの一例を示す図である。
【図３】本発明の第２の実施の形態及び第３の実施の形態に係るリテーナーのシャフトの一例を示す図である。
【図４】本発明の第２の実施の形態及び第３の実施の形態に係るリテーナーのプレートの一例を示す図である。
【図５】雄ねじをねじ込んで締め付けた際に、被固定物をプレートとベースとで挟み込んで固定する様子の一例を示す図である。
【図６】プレート側噛み合い歯の山および谷の配置状態の一例を示す図である。
【図７】シャフト側噛み合い歯の山および谷の配置状態の一例を示す図である。
【図８】シャフトの断面の一例を示す図である。
【図９】雄ねじを雌ねじにねじ込んで締め付ける状態の一例を示す図である。
【図１０】シャフト側噛み合い歯とプレート側噛み合い歯とが噛み込む状態の一例を示す図である。
【図１１】放射状に山および谷が配置されその配置形状が小判形状のプレート側噛み合い歯を有するプレートの一例を示す図である。
【図１２】小判形状のプレート側噛み合い歯の作成方法を説明する図である。
【図１３】関連技術における板材端部固定金具の一例を示す図である。
【発明を実施するための形態】
【００１３】
次に、本発明の実施の形態について図面を参照して説明する。
（第１の実施の形態）
図１は、本発明の第１の実施の形態に係るリテーナーの一例を示す図である。
【００１４】
本実施の形態に係るリテーナー１は、ベース２と、プレート３と、シャフト４とにより構成される。
【００１５】
ベース２は、雌ねじを有し、基礎となる固定されたものである。
【００１６】
プレート３は、ねじ穴５が形成され、このねじ穴５の付近に第１の噛み合い歯７（プレート側噛み合い歯：図１では、第２の噛み合い歯８（シャフト側噛み合い歯）に隠れて見えない）を有する。
【００１７】
シャフト４は、ねじ穴に挿通可能で雌ねじに螺合する雄ねじと、挿通及び螺合に際して第１の噛み合い歯に噛み合う位置に第２の噛み合い歯が、各々形成されている。そして、シャフト４の挿通及び螺合に際して、プレート３とベース２との間に所定の大きさの空隙が形成される。
【００１８】
すなわち、シャフト４の雄ねじをベース２の雌ねじにねじ込んだ際に、プレート３とベース２との間に形成される空隙に被固定物を挟み込んで固定し、シャフト４の有する第２の噛み合い歯８をプレート３の有する第１の噛み合い歯７に押し付けて噛み合わせる。
【００１９】
このように、本発明の第１の実施の形態によれば、プレート３とベース２との間にが形成される空隙に被固定物を挟み込んで固定した際に、シャフト側噛み合い歯８とプレート側噛み合い歯７とが互いに噛みあう。このため、シャフトの有する雄ねじの回転がロックされるので、シャフトすなわち雄ねじに緩みが発生するおそれがなく、被固定物がプレートとベースによりしっかりと固定されぐらつくおそれがない。
（第２の実施の形態）
図２は、第２の実施の形態に係るリテーナーの一例を示す図である。
【００２０】
本発明の第２の実施の形態は、第１の実施の形態のリテーナー１をより具体化したものである。
【００２１】
本実施の形態に係るリテーナー１は、ベース２と、プレート３と、シャフト４とにより構成される。
【００２２】
ベース２は、垂直な平面からなる正面と、水平面からなる上面と、正面の方向と下方向とを向くように斜めに設けられ正面と交差して、正面の上面と交差する上側の稜と平行な下側の稜を形成する斜面とを有し、正面に雌ねじが開孔されている。
【００２３】
プレート３は、ベース２の正面に対向する正面板と、ベース２の斜面に接する斜面板と、ベース２の上面との間に前記ベースの前記上面との間に所定の大きさの空隙を形成しこの空隙に被固定物を１１を挟む上面板とを有し、正面板にベース２の雌ねじに対応してねじ穴５が開けられている。
【００２４】
図３は、本実施の形態に係るリテーナーのシャフトの一例を示す図である。シャフト４は、図３に示すように、雄ねじ１０と引っ掛け部９とノブ６とを有する。雄ねじ１０は、ねじ穴５を通りベース２の雌ねじに螺合する。引っ掛け部９は、雄ねじ１０と一体になって回転し、雄ねじ１０がベース２の雌ねじにねじ込まれると、ねじ穴５に引っ掛かり、プレート３をベース２側へ押し付ける。ノブ６は、雄ねじ１０をねじ込んで締付けた後に、プレート３の正面板に押し付ける。
【００２５】
ノブ６の正面板に接する面には、図３に示すように、シャフト側噛み合い歯８が設けられている。シャフト側噛み合い歯８は、山および谷が交互に円形状に配置され、各山および谷は雄ねじ１０の軸を中心にして放射状に形成されている。ノブ６のシャフト側噛み合い歯８は、引っ掛け部９の外側にあり、雄ねじ１０方向の同じ位置にきても重ならない。
【００２６】
図４は、本実施の形態に係るリテーナーのプレートの一例を示す図である。図４に示すように、ノブ６のシャフト側噛み合い歯８が配置された面と接するプレート３の正面板の面には、プレート側噛み合い歯７が設けられている。プレート側噛み合い歯７として放射方向の山および谷が交互に円形状に配置されており、ノブ６をプレート３の正面板に押し付けた際に、プレート側噛み合い歯７とシャフト側噛み合い歯８とは互いに噛みあう。
【００２７】
引っ掛け部９により、プレート３の正面板を押し付けると、プレート３の斜面板とベース２の下側の稜が接し、プレート３の斜面板がベース２の斜面に沿って滑り込み、プレート３の上面板とプレート３の上面との間に設置した被固定物１１を挟み込んで固定するまでプレート３が下側に沈み込む。
【００２８】
本実施の形態に係るリテーナーにより、平板状の被固定物を固定する動作を説明する。
【００２９】
被固定物１１をベース２の上面とプレート３の上面板との間に設置し、ノブ６を、雄ねじ１０を締め付ける方向に回転させて、雄ねじ１０を雌ねじにねじ込むと、引っ掛け部９が、縦長のねじ穴５の横の部分に引っ掛かり、プレート３を押し付ける。
【００３０】
そして、雄ねじ１０をねじ込んで締め付けると、この押し付け動作が続くとともに、図５に示すように、プレート３の斜面とベース２の下側の稜が接し、ねじ穴５の長尺方向に沿ってプレート３が下方向に沈み込み、プレート３の斜面板がベース２の斜面に沿って滑り込む。図５は、雄ねじ１０をねじ込んで締め付けた際に、プレート３の斜面板がベース２の斜面に沿って滑り込み、被固定物１１をプレート３とベース２とで挟み込んで固定する様子の一例を示す図であり、リテーナー１を側面方向から見たときの概略図である。
【００３１】
そして、被固定物１１の上面とプレート３の上面板との間の距離分、プレート３が下側に沈み込み、被固定物１１をプレート３の上面板とベース２の上面とで挟み込んで固定する。
【００３２】
そして、雄ねじ１０をねじ込んで締め付けた後に、ノブ６が、例えば、スプリング等の付勢力により、ノブ６のプレート３の正面板側の面をプレート３の正面板に押し付ける。
【００３３】
このことにより、ノブ６の正面板に接する面にあるシャフト側噛み合い歯８と、プレート３の正面板の面にあるプレート３側噛み合い歯とが互いに噛みあう。
【００３４】
このように、本発明の第１の実施の形態によれば、被固定物をプレートの上面板とベースの上面とで挟み込んで固定した際に、ノブの正面板に接する面にあるシャフト側噛み合い歯８と、プレートの正面板の面にあるプレート側噛み合い歯７とが互いに噛みあう。このため、シャフトの回転がロックされるので、シャフトに緩みが発生するおそれがなく、被固定物がプレートとベースによりしっかりと固定されぐらつくおそれがない。
（第３の実施の形態）
本発明の第３の実施の形態は、図２に示した第２の実施の形態のリテーナー１をより具体化したものである。以下では、主に第２の実施の形態と相違する部分について説明する。
【００３５】
本実施の形態に係るリテーナー１は、第２の実施の形態と同様に、ベース２と、プレート３と、シャフト４とにより構成される。
【００３６】
図６は、プレート側噛み合い歯の山および谷の配置状態の一例を示す図である。また、図７にシャフト側噛み合い歯の一例を、図８にシャフトの断面の一例を、それぞれ示す。プレート３上に配置されたプレート側噛み合い歯７は、図６に示すように、放射状に山および谷が配置されその配置形状は円形状である。プレート側噛み合い歯７は、ノブ６をプレート３の正面板に押し付けた際に、シャフト側噛み合い歯８と互いに噛みあう。シャフト側噛み合い歯８は、雄ねじ１０の軸を中心に放射状に山および谷が配置された噛み合い歯である。シャフト４は、図８に示すように、雄ねじ１０の軸方向手前側（左側）にこの雄ねじ１０に直列に接続されたメインシャフト１２を有する。
【００３７】
メインシャフト１２は、ノブ６を雄ねじ１０の軸方向に移動可能にする、例えば溝を有する。また、シャフト４は、メインシャフト１２と雄ねじ１０の境界に引っ掛け部９を設置している。この引っ掛け部９は、雄ねじ１０を雌ねじにねじ込んだ際にプレート３のねじ穴５に引っ掛かり、プレート３をベース２側に押し付ける。更に、シャフト４は、メインシャフト１２の引っ掛け部９のある方向と反対側の端部にノブ６をプレート３の正面板の方向（引っ掛け部９の方向）に付勢するスプリング１３を設置している。
【００３８】
ノブ６を引っ掛け部９のある方向と反対側（図８の左側）の方向に引いてスプリング１３にプレート３の正面板の方向（引っ掛け部９の方向）に付勢力を与えつつノブ６を雄ねじ１０を締め付ける方向に回すことにより、雄ねじ１０を雌ねじにねじ込んで締め付ける。このときメインシャフト１２とスプリング１３と雄ねじ１０は同時に回る。締め付けた後にノブ６の引き状態を解除することにより、スプリング１３により付勢されたノブ６のシャフト側噛み合い歯８とプレート３のプレート側噛み合い歯７とが噛み込む。
【００３９】
本実施の形態に係るリテーナーにより、平板状の被固定物を固定する動作を図５、図９、図１０を使用して説明する。
【００４０】
図９は、雄ねじを雌ねじにねじ込んで締め付ける状態の一例を示す図である。引っ掛け部９により、プレート３の正面板を押し付ける状態を示している。
【００４１】
図１０は、シャフト側噛み合い歯８とプレート側噛み合い歯とが噛み込む状態の一例を示す図である。
【００４２】
最初に、被固定物１１をベース２の上面とプレート３の上面板との間に設置する。
【００４３】
そして、ノブ６を引っ掛け部９のある方向と反対側の方向に引いてスプリング１３にプレート３の正面板の方向の付勢エネルギーを与えつつ、ノブ６を、雄ねじ１０を締め付ける方向に回転させる。これにより、メインシャフト１２とスプリング１３と雄ねじ１０を同時に回させ、雄ねじ１０を雌ねじにねじ込む。
【００４４】
すると、引っ掛け部９がプレート３のねじ穴５に引っ掛かり、引っ掛け部９がプレート３の正面板をベース２の正面の側と反対の側から押し付ける。すると、プレート３の正面板がベース２の正面に向けて押し付けられる。
【００４５】
そして、図９に示すように、雄ねじ１０を雌ねじにねじ込んで最後まで（例えば、回転できなくなるまで）締め付ける。すると、図５で示すように、プレート３の斜面とベース２の下側の稜が接し、プレート３の斜面板がベース２の斜面に沿って滑り込む。そして、被固定物１１の上面とプレート３の上面板との間の距離分、プレート３が下側に沈み込み、被固定物１１をプレート３の上面板とベース２の上面とで挟み込んで固定する。
【００４６】
そして、雄ねじ１０を締め付けた後にノブ６の引き状態を解除する。すると、図１０に示すように、スプリング１３により付勢されたノブ６がプレート３側に移動しノブ６の正面板に接する面にあるシャフト側噛み合い歯８と、プレート３の正面板の面にあるプレート側噛み合い歯７とが噛み込む。
【００４７】
このように、本発明の第３の実施の形態によれば、被固定物１１をプレート３の上面板とベース２の上面とで挟み込んで固定する。そして、ノブ６の引き状態を解除することにより、スプリング１３により付勢されたノブ６にあるシャフト側噛み合い歯８と、プレート３にあるプレート側噛み合い歯７とを噛み込ませる。このため、シャフトの回転がロックされるので、シャフトに緩みが発生するおそれがなく、被固定物がプレートとベースによりしっかりと固定されぐらつくおそれがない。
【００４８】
以上の説明では、シャフト側噛み合い歯８とプレート側噛み合い歯７とが互いに噛み合うものとして説明した。しかし、プレート３の下側への沈み込みが所定の大きさを超えた場合、すなわち、被固定物１１の厚さが所定の厚さよりも薄い場合には、シャフト側噛み合い歯８とプレート側噛み合い歯７とが共に円形状に並んだ歯であるので、噛み合い歯同士がずれて噛み合わせが悪くなる。
【００４９】
このような所定の厚さよりも薄い被固定物１１を固定する場合には、図１１に示すように、プレート側噛み合い歯の形状が上下方向に長い小判形状のプレート３を使用する。図１１は、放射状に山および谷が配置されその配置形状が小判形状のプレート側噛み合い歯を有するプレートの一例を示す図である。
【００５０】
すなわち、このプレート側噛み合い歯は、山および谷が交互に、上下方向に長い小判形状に配置され、小判形状の上下の部分の山および谷の配置が半円形状である。この小判形状のプレート側噛み合い歯を有するプレート３を使用することにより、プレート３の下側への沈み込みが、所定の大きさを超えた場合でも、円形状の部分より噛み合い歯同士が噛み合う。このため、所定の厚さよりも薄い被固定物を固定する場合にも、シャフトの回転がロックされるので、シャフトに緩みが発生するおそれがなく、被固定物がプレートとベースによりしっかりと固定されぐらつくおそれがない。
【００５１】
尚、ここで、図１２を使用して、小判形状のプレート側噛み合い歯の作成方法を説明する。図１２は、小判形状のプレート側噛み合い歯の作成方法を説明する図である。
【００５２】
最初に、３Ｄ−ＣＡＤ（３dimension-computer aided design）上で、シャフト４の立体形状を所定数複製する。所定数とは、作成を所望する小判形状の上下方向の長さに応じた数である。
【００５３】
次に、図１２の（ａ）に示すように、この複製した複数のシャフト４の立体形状を、シャフト４の軸方向に対して垂直の方向にずらしながら外形を重ね合わせる。図１２の（ａ）は、複数のシャフト４の立体形状を、シャフト４の軸方向に対して垂直の方向にずらしながら外形を重ね合わせる状況の一例を示す図である。例えば、ＣＡＤにおいて、体積を持った形状同士の和、差、積の集合演算により造形する方法である、周知のブーリアン演算により外形を重ね合わせる。
【００５４】
このことにより、図１２の（ｂ）に示すように、シャフト側噛み合い歯８の外形を重ね合わせた重ね合わせ噛み合い歯を作成する。図１２の（ｂ）は、複数のシャフト４の立体形状を、シャフト４の軸方向に対して垂直の方向にずらしながら外形を重ね合わせた後の一例を示す図である。
【００５５】
次に、図１２の（ｃ）、（ｄ）に示すように、この重ね合わせ噛み合い歯に噛み合うように、プレート３にプレート側噛み合い歯を作成する。図１２の（ｃ）は、重ね合わせ噛み合い歯をプレート３のねじ穴５の近傍に押し当てる様子の一例を示す図である。図１２の（ｄ）は、重ね合わせ噛み合い歯をプレート３のねじ穴５の近傍に押し当てた後の小判形状のプレート側噛み合い歯の一例を示す図である。
【００５６】
すなわち、重ね合わせ噛み合い歯をプレート３のねじ穴５の近傍に押し当て、プレート３に小判形状のプレート側噛み合い歯を作成する。重ね合わせ噛み合い歯とプレート側噛み合い歯の山の位置と谷の位置が反対である。
【００５７】
このようにすることにより、確実にかつ簡単に、シャフト側噛み合い歯に噛み合う、小判形状のプレート側噛み合い歯を作成することができる。
【符号の説明】
【００５８】
１    リテーナー
２    ベース
３    プレート
４    シャフト
５    ねじ穴
６    ノブ
７    第１の噛み合い歯、プレート側噛み合い歯
８    第２の噛み合い歯、シャフト側噛み合い歯
９    引っ掛け部
１０    雄ねじ
１１    被固定物
１２    メインシャフト
１３    スプリング
２０    固定金具
２１    固定板
２２    加圧板
２３    固定部
２４    可動部
２５    蝶番連結部
２６    ボルト
２７    ナット
２８    中央壁
２９    側壁
３０    透光板
【図１】
2019032086.tif 000003
【図２】
2019032086.tif 000004
【図３】
2019032086.tif 000005
【図４】
2019032086.tif 000006
【図５】
2019032086.tif 000007
【図６】
2019032086.tif 000008
【図７】
2019032086.tif 000009
【図８】
2019032086.tif 000010
【図９】
2019032086.tif 000011
【図１０】
2019032086.tif 000012
【図１１】
2019032086.tif 000013
【図１２】
2019032086.tif 000014
【図１３】
2019032086.tif 000015